(57)【要約】  ＳＩＰで接続されている画像処理装置に対してリモート操作端末から操作が可能な画像形成装置を提供する。このため、ＳＩＰによりリモート操作端末３００と接続される画像形成装置１００は、リモート操作端末３００からのリモート操作要求メッセージを受信するリモート操作要求メッセージ受信部と、リモート操作要求メッセージに対するリモート操作応答メッセージを送信するリモート操作応答メッセージ送信部と、リモート操作端末３００と画像形成装置１００のＳＩＰによる通信セッションが確立したときに、画像形成装置１００の操作画面情報を通信セッションの通信条件によりリモート操作端末３００に送信する操作画面情報送信部とを備える。
2015015994.tif 000002
【特許請求の範囲】
【請求項１】
ＳＩＰによりリモート操作端末と接続される画像形成装置であって、
前記リモート操作端末からのリモート操作要求メッセージを受信するリモート操作要求メッセージ受信部と、
前記リモート操作要求メッセージに対するリモート操作応答メッセージを送信するリモート操作応答メッセージ送信部と、
前記リモート操作端末と前記画像形成装置のＳＩＰによる通信セッションが確立したときに、前記画像形成装置の操作画面情報を前記通信セッションの通信条件により前記リモート操作端末に送信する操作画面情報送信部と
を備える画像形成装置。
【請求項２】
前記操作画面情報により前記リモート操作端末に表示された操作画面から前記画像形成装置の状態を確認する要求が行われると、前記画像形成装置が前記状態を前記リモート操作端末に送信する請求項１に記載の画像形成装置。
【請求項３】
前記操作画面情報により前記リモート操作端末に表示された操作画面からドキュメントボックスに保存されている画像データを送信する要求が行われると、前記画像形成装置が前記画像データを前記操作画面から設定された宛先アドレスに送信する請求項１に記載の画像形成装置。
【請求項４】
リモート操作端末、画像形成装置、及びＳＩＰサーバーを有する画像形成装置リモートシステムにおいて、
前記リモート操作端末は、
前記画像形成装置にリモート操作要求メッセージを送信するリモート操作要求メッセージ送信部と、
前記画像形成装置からリモート操作応答メッセージを受信するリモート操作応答メッセージ受信部と、
前記画像形成装置から操作画面情報を受信する操作画面情報受信部と、
受信した前記操作画面情報により前記画像形成装置の操作画面を表示する操作画面表示部とを備え、
前記画像形成装置は、
前記リモート操作端末から前記リモート操作要求メッセージを受信するリモート操作要求メッセージ受信部と、
前記リモート操作端末に前記リモート操作応答メッセージを送信するリモート操作応答メッセージ送信部と、
前記リモート操作端末に前記操作画面情報を送信する操作画面情報送信部とを備え、
前記ＳＩＰサーバーは、
前記リモート操作要求メッセージと前記リモート操作応答メッセージを中継することで前記リモート操作端末と前記画像形成装置とのＳＩＰによる通信セッションを確立する通信セッション確立部を備え、
前記操作画面情報送信部は、前記リモート操作端末と前記画像形成装置のＳＩＰによる通信セッションが確立したときに、前記操作画面情報を前記通信セッションの通信条件により前記リモート操作端末に送信する画像形成装置リモートシステム。
【請求項５】
前記リモート操作端末は、
前記操作画面から入力された操作の操作データを前記画像形成装置に送信する操作データ送信部を備え、
前記操作データ送信部は、前記操作データを前記通信条件により前記画像形成装置に送信する請求項４に記載の画像形成装置リモートシステム。
【請求項６】
前記通信条件は、前記画像形成装置が提示する条件により前記リモート操作端末が決定する請求項４に記載の画像形成装置リモートシステム。
【請求項７】
前記リモート操作要求メッセージ送信部は、操作対象の前記画像形成装置の通信セッション情報を前記リモート操作要求メッセージに設定する請求項４に記載の画像形成装置リモートシステム。
【請求項８】
前記リモート操作要求メッセージ送信部は、前記リモート操作端末のユーザー情報を前記リモート操作要求メッセージに設定する請求項４に記載の画像形成装置リモートシステム。
【請求項９】
前記リモート操作端末は、
前記画像形成装置に状態送信要求メッセージを送信する状態送信要求メッセージ送信部と、
前記画像形成装置から状態送信応答メッセージを受信する状態送信応答メッセージ受信部と、
を備え、
前記画像形成装置は、
前記リモート操作端末から状態送信要求メッセージを受信する状態送信要求メッセージ受信部と、
前記リモート操作端末に状態送信応答メッセージを送信する状態送信応答メッセージ送信部とを備える請求項４に記載の画像形成装置リモートシステム。
【請求項１０】
前記状態送信応答メッセージ送信部は、前記リモート操作端末に前記画像形成装置のジョブ状態を送信する請求項９に記載の画像形成装置リモートシステム。
【請求項１１】
前記状態送信応答メッセージ送信部は、前記リモート操作端末に前記画像形成装置のジョブ完了通知を送信する請求項９に記載の画像形成装置リモートシステム。
【請求項１２】
前記操作画面情報により前記リモート操作端末に表示された前記操作画面からドキュメントボックスに保存されている画像データが送信される請求項４に記載の画像形成装置リモートシステム。
【請求項１３】
前記画像データが送信される宛先アドレスは前記画像形成装置に設けられているアドレス帳に登録されている請求項１２に記載の画像形成装置リモートシステム。
【請求項１４】
前記画像データが送信される宛先アドレスは前記操作画面から入力される請求項１２に記載の画像形成装置リモートシステム。
【請求項１５】
ＳＩＰによりリモート操作端末と接続される画像形成装置の操作画面リモート表示方法であって、
前記リモート操作端末からのリモート操作要求メッセージを受信するリモート操作要求メッセージ受信ステップと、
前記リモート操作要求メッセージに対するリモート操作応答メッセージを送信するリモート操作応答メッセージ送信ステップと、
前記リモート操作端末と前記画像形成装置のＳＩＰによる通信セッションが確立したときに、前記画像形成装置の操作画面情報を前記通信セッションの通信条件により前記リモート操作端末に送信する操作画面情報送信ステップと
を備える画像形成装置の操作画面リモート表示方法。
【発明の詳細な説明】
【技術分野】
【０００１】
本開示は、ＳＩＰ（Session Initiation Protocol）が搭載されている画像形成装置に係り、特にリモートで操作される画像形成装置、画像形成装置の操作システム（以下、「画像形成装置リモートシステム」という）、及び画像形成装置の操作画面をリモート操作端末に表示する画像形成装置の操作画面リモート表示方法に関する。
【背景技術】
【０００２】
近年、ＭＦＰ（Ｍｕｌｔｉｆｕｎｃｔｉｏｎ  Ｐｅｒｉｐｈｅｒａｌ）である画像形成装置は、リモート操作端末から操作が可能である。例えば、特許文献１に記載されている画像処理装置（画像形成装置）は、Ｗｅｂブラウザを用いて生成された操作画面をクライアント装置（リモート操作端末）に送信すると、クライアント装置は操作画面を受信し、操作画面をクライアント装置のパネルに表示する。ユーザーがこの操作画面から操作することで、クライアント装置からリモートで画像処理装置の操作を可能にしている。このように、Ｗｅｂブラウザを用いて操作画面を生成することで、クライアント装置に専用のプログラムをインストールする必要がなく、ユーザーは自分の身近にあるクライアント装置から離れた位置に設置されている画像処理装置の操作を行うことができる。
【先行技術文献】
【特許文献】
【０００３】
【特許文献１】特開２０１２−９００２５号公報
【発明の概要】
【発明が解決しようとする課題】
【０００４】
特許文献１の画像処理装置では、通信プロトコルであるＴＣＰ／ＩＰ（Transmission Control Protocol/Internet Protocol）を用いているインターネットにおいて送信が可能なＷｅｂブラウザを用いて操作画面を生成し、クライアント装置に操作画面を提供している。このため、画像処理装置の操作画面をクライアント装置に送信するには、画像処理装置とクライアント装置をインターネットで接続しなければならない。しかし、オフィスや工場などの限られたエリアで使用されている通信プロトコルは、インターネットのＴＣＰ／ＩＰではなくＩＰ電話や電話会議システム等で利用されているＳＩＰを使用して画像形成装置とリモート操作端末を接続する場合がある。このように通信プロトコルのＳＩＰで接続されている画像形成装置がＷｅｂブラウザを用いて操作画面を生成しても、操作画面をリモート操作端末に送信できないという問題があった。【０００５】
本開示はこのような状況に鑑みてなされたものであり、上記課題を解決できる画像形成装置、画像形成装置リモートシステム、及び画像形成装置の操作画面リモート表示方法を提供することを目的とする。
【課題を解決するための手段】
【０００６】
本開示の画像形成装置は、ＳＩＰによりリモート操作端末と接続される画像形成装置であって、前記リモート操作端末からのリモート操作要求メッセージを受信するリモート操作要求メッセージ受信部と、前記リモート操作要求メッセージに対するリモート操作応答メッセージを送信するリモート操作応答メッセージ送信部と、前記リモート操作端末と前記画像形成装置のＳＩＰによる通信セッションが確立したときに、前記画像形成装置の操作画面情報を前記通信セッションの通信条件により前記リモート操作端末に送信する操作画面情報送信部とを備える。
本開示の画像形成装置リモートシステムは、リモート操作端末、画像形成装置、及びＳＩＰサーバーを有する画像形成装置リモートシステムにおいて、前記リモート操作端末は、前記画像形成装置にリモート操作要求メッセージを送信するリモート操作要求メッセージ送信部と、前記画像形成装置からリモート操作応答メッセージを受信するリモート操作応答メッセージ受信部と、前記画像形成装置から操作画面情報を受信する操作画面情報受信部と、受信した前記操作画面情報により前記画像形成装置の操作画面を表示する操作画面表示部とを備え、前記画像形成装置は、前記リモート操作端末から前記リモート操作要求メッセージを受信するリモート操作要求メッセージ受信部と、前記リモート操作端末に前記リモート操作応答メッセージを送信するリモート操作応答メッセージ送信部と、前記リモート操作端末に前記操作画面情報を送信する操作画面情報送信部とを備え、前記ＳＩＰサーバーは、前記リモート操作要求メッセージと前記リモート操作応答メッセージを中継することで前記リモート操作端末と前記画像形成装置とのＳＩＰによる通信セッションを確立する通信セッション確立部を備え、前記操作画面情報送信部は、前記リモート操作端末と前記画像形成装置のＳＩＰによる通信セッションが確立したときに、前記操作画面情報を前記通信セッションの通信条件により前記リモート操作端末に送信する。
本開示の画像形成装置の操作画面リモート表示方法は、ＳＩＰによりリモート操作端末と接続される画像形成装置の操作画面リモート表示方法であって、前記リモート操作端末からのリモート操作要求メッセージを受信するリモート操作要求メッセージ受信ステップと、前記リモート操作要求メッセージに対するリモート操作応答メッセージを送信するリモート操作応答メッセージ送信ステップと、前記リモート操作端末と前記画像形成装置のＳＩＰによる通信セッションが確立したときに、前記画像形成装置の操作画面情報を前記通信セッションの通信条件により前記リモート操作端末に送信する操作画面情報送信ステップとを備える。
【図面の簡単な説明】
【０００７】
【図１】本開示の第１の実施形態に係る画像形成装置リモートシステムのシステム構成を示す図である。
【図２】図１に示す画像形成装置リモートシステムの画像形成装置とリモート操作端末の機能構成を示す図である。
【図３】本開示の第１の実施形態に係る画像形成装置とリモート操作端末における通信セッション確立手順を示す図である。
【図４】本開示の第２の実施形態に係る画像形成装置で実行しているジョブの状態をリモート操作端末から確認する手順を示す図である。
【図５】本開示の第３の実施形態に係る画像形成装置とリモート操作端末における画像データの送信手順を示す図である。
【発明を実施するための形態】
【０００８】
（第１の実施の形態）
以下、本開示を実施するための第１の実施形態（以下、「実施形態１」という）を、図面を参照して説明する。実施形態の画像形成装置及びリモート操作端末には、ＳＩＰが搭載されている。実施形態は、このような画像形成装置において、リモート操作端末から画像形成装置の操作を可能にするものである。
【０００９】
まず、本開示の実施の形態に係る画像形成装置リモートシステム１０のシステム構成について、図１を用いて説明する。図１に示す画像形成装置リモートシステム１０は、画像形成装置１００、ＳＩＰサーバー２００、リモート操作端末３００、アクセスポイント４００、ネットワーク５００、ルーター６００、及びインターネット７００を備えている。インターネット７００には、リモート操作端末８００が接続されている。
【００１０】
画像形成装置１００は、プリンタ、ＭＦＰ、複合機等である。画像形成装置１００には、ＳＩＰが搭載されている。画像形成装置１００は、ＳＩＰサーバー２００を中継してリモート操作端末３００とコネクションを確立する。その後、画像形成装置１００は、リモート操作端末３００とデータの送受信を行うことができる。
【００１１】
ＳＩＰサーバー２００は、リモート操作端末３００からの要求により画像形成装置１００に対して呼制御を行う。ＳＩＰサーバー２００は、これによりコネクションの確立を行う。
【００１２】
リモート操作端末３００は、ノートＰＣ、スマートフォン、またはタブレット端末等である。リモート操作端末３００は、ＳＩＰが搭載されている。リモート操作端末３００は、ＳＩＰサーバー２００を中継して画像形成装置１００とコネクションを確立する。その後、リモート操作端末３００は、画像形成装置１００とデータの送受信を行うことができる。
【００１３】
アクセスポイント４００は、ネットワーク５００に接続される。アクセスポイント４００は、無線通信により接続要求を行っているリモート操作端末３００をネットワーク５００に接続する。
【００１４】
ネットワーク５００は、ＬＡＮ（Local Area Network）などのネットワークである。ネットワーク５００には、複数の画像形成装置１００、ＳＩＰサーバー２００、複数のリモート操作端末３００、アクセスポイント４００、及びルーター６００が接続されている。
【００１５】
ルーター６００は、ネットワーク５００に接続されている。ルーター６００は、インターネット７００とネットワーク５００とを接続する。
【００１６】
インターネット７００は、ＩＰネットワークである。インターネット７００は、複数のリモート操作端末８００が接続されている。
【００１７】
次に、画像形成システム１０の画像形成装置１００とリモート操作端末３００の機能構成について、図２を用いて説明する。図２に示す画像形成装置１００とリモート操作端末３００は、図１に示す画像形成システム１０における１台の画像形成装置１００と、アクセスポイント４００に接続されている１台のリモート操作端末３００の機能構成を示している。しかしながら、他の画像形成装置１００、他のリモート操作端末３００についても同様の機能構成である。
【００１８】
まず、画像形成装置１００の機能構成について、説明する。図２に示す画像形成装置１００は、制御部１１０、メモリー部１２０、データ保存部１３０、操作パネル１４０、操作パネル処理部１５０、原稿読取部１６０、画像処理部１７０、及びネットワーク通信部１８０を備え、これら各部はバスなどにより接続されている。制御部１１０には、リモート操作応答処理部１１０ａ、ジョブ状態送信応答処理部１１０ｂ、及びドキュメント送信処理部１１０ｃが設けられている。メモリー部１２０には、ユーザー情報保存エリア１２０ａと操作画面情報保存エリア１２０ｂが設けられている。データ保存部１３０には、画像データ保存エリア１３０ａ、ドキュメントボックスエリア１３０ｂ、及び宛先アドレス情報保存エリア１３０ｃが設けられている。
なお、ジョブ状態送信応答処理部１１０ｂは、第２の実施形態で用いるので、第２の実施形態で説明する。また、ドキュメント送信処理部１１０ｃは、第３の実施形態で用いるので、第３の実施形態で説明する。また、ドキュメントボックスエリア１３０ｂと宛先アドレス情報保存エリア１３０ｃは、第３の実施形態で用いるので、第３の実施形態で説明する。
【００１９】
制御部１１０は、ＲＡＭやＲＯＭ等の主記憶手段、及びＣＰＵ(Central Processing Unit)等の制御手段を備えている。また、制御部１１０は、各種Ｉ／Ｏや、ＵＳＢ（ユニバーサル・シリアル・バス）等のインターフェイス、バスコントローラー等を含む総合的な画像形成装置１００の制御を行う。
リモート操作応答処理部１１０ａは、リモート操作端末３００からのリモート操作要求に対する応答を行うリモート操作応答処理を実行する。リモート操作応答処理の詳細については、後述する。
【００２０】
メモリー部１２０は、フラッシュメモリー等からなる補助記憶装置である。メモリー部１２０は、制御部１１０が実行する処理のプログラムやデータを記憶する。
ユーザー情報保存エリア１２０ａには、操作を許可するリモート操作端末３００を識別するためのユーザーＩＤがリモート操作端末３００毎に保存されている。
操作画面情報保存エリア１２０ｂには、操作画面を表示するためのデータや操作画面の操作を行うためのデータなどの情報（以下、「操作画面情報」という）が保存されている。
【００２１】
データ保存部１３０は、データやプログラムを保存するハードディスクドライブである。
画像データ保存エリア１３０ａには、原稿読取部１６０から読み取った画像データ、ネットワーク通信部１８０を経由してリモート操作端末３００から受信した画像データが保存される。
【００２２】
操作パネル１４０は、操作画面の表示とユーザーによる操作受け付けを行う液晶パネルである。操作パネル処理部１５０は、画像形成装置１００が備えている機能に対する操作項目を操作パネル１４０に表示する処理、操作パネル１４０からユーザーの操作を入力する処理などを行う。
【００２３】
原稿読取部１６０は、ユーザーが操作パネル１４０から読み取り操作を行うと、画像形成装置１００の原稿台にセットされた原稿の読み取りを行い、画像に変換して画像処理部１７０に出力する。画像処理部１７０は、原稿読取部１６０から画像を入力すると、印刷可能な画像イメージの画像データや、ＦＡＸやメールで送信可能なイメージの画像データなどに変換する。
【００２４】
ネットワーク通信部１８０は、着脱可能なＬＡＮインターフェイスを備え、ネットワーク５００に接続する。
【００２５】
次に、リモート操作端末３００の機能構成について、説明する。図２に示すリモート操作端末３００は、制御部３１０、メモリー部３２０、操作パネル３３０、操作パネル処理部３４０、ネットワーク通信部３５０、及びＧＰＳ処理部３６０を備え、これら各部はバスなどにより接続されている。制御部３１０には、リモート操作要求処理部３１０ａ、ジョブ状態送信要求処理部３１０ｂ、及びドキュメント送信要求処理部３１０ｃが設けられている。メモリー部３２０には、操作画面情報保存エリア３２０ａ、ドキュメント情報保存エリア３２０ｂ、及び宛先アドレス情報保存エリア３２０ｃが設けられている。
なお、ＧＰＳ処理部３６０は、第３の実施形態で用いるので、第３の実施形態で説明する。また、ジョブ状態送信要求処理部３１０ｂは、第２の実施形態で用いるので、第２の実施形態で説明する。また、ドキュメント送信要求処理部３１０ｃは、第３の実施形態で用いるので、第３の実施形態で説明する。また、ドキュメント情報保存エリア３２０ｂと宛先アドレス情報保存エリア３２０ｃは、第３の実施形態で用いるので、第３の実施形態で説明する。
【００２６】
制御部３１０は、ＲＡＭやＲＯＭ等の主記憶手段、及びＣＰＵ(Central Processing Unit)等の制御手段を備えている。また、制御部３１０は、各種Ｉ／Ｏや、ＵＳＢ（ユニバーサル・シリアル・バス）等のインターフェイス、バスコントローラー等を含む総合的なリモート操作端末３００のコントロールを行う。
リモート操作要求処理部３１０ａは、画像形成装置１００にリモート操作要求を行うリモート操作要求処理を実行する。リモート操作要求処理の詳細については、後述する。
【００２７】
メモリー部３２０は、フラッシュメモリー等からなる補助記憶装置で、制御部３１０が実行する処理のプログラムやデータを記憶する。
操作画面情報保存エリア３２０ａには、画像形成装置１００から受信する操作画面情報が一時的に保存される。
【００２８】
操作パネル３３０は、操作項目の表示とユーザーによる操作受け付けを行う液晶パネルである。操作パネル処理部３４０は、リモート操作端末３００が備えている機能に対する操作項目を操作パネル３３０に表示する処理、操作パネル３３０からユーザーの操作を入力する処理、及びリモート操作端末３００の操作画面の表示及び操作画面からの操作を受け付ける処理などを行う。
【００２９】
ネットワーク通信部３５０は、アクセスポイント４００を経由してネットワーク５００に接続する。
【００３０】
次に、画像形成装置１００とリモート操作端末３００における通信セッション確立手順について、図３を用いて説明する。図３に示す画像形成装置１００とリモート操作端末３００の通信セッション確立手順は、図１に示す画像形成システム１０における１台の画像形成装置１００と、１台のリモート操作端末３００との通信セッション確立手順である。しかしながら、他の画像形成装置１００、他のリモート操作端末３００についても同様である。
【００３１】
まず、ユーザーがリモート操作端末３００の操作パネル３３０から画像形成装置１００に対するリモート操作要求を入力する。リモート操作端末３００の操作パネル処理部３４０は、このリモート操作要求を制御部３１０に出力する。制御部３１０は、リモート操作要求を入力すると、リモート操作要求処理部３１０ａを起動する。そして、制御部３１０は、リモート操作要求処理部３１０ａがリモート操作要求処理を開始する。（Ｐ１０）
【００３２】
次いで、リモート操作端末３００のリモート操作要求処理部３１０ａは、ユーザーがリモート操作を要求する画像形成装置１００のＳＩＰアドレスを入力させるための誘導メッセージを操作パネル３３０に表示する。すると、ユーザーにより操作パネル３３０からリモート操作対象の画像形成装置１００のＳＩＰアドレスが入力される。（Ｐ２０）
【００３３】
次いで、リモート操作端末３００のリモート操作要求処理部３１０ａは、通信セッションの開始を要求するＩＮＶＩＴＥメッセージをＳＩＰサーバー２００に送信する。ＩＮＶＩＴＥメッセージには、操作対象の画像形成装置１００のＳＩＰアドレスなどの通信セッションに関する情報（以下、「通信セッション情報」という）が暗号化されて格納されている。また、ＩＮＶＩＴＥメッセージには、リモート操作端末２００のユーザーＩＤなどのユーザーに関する情報（以下、「ユーザー情報」という）も暗号化されて格納されている。例えば、画像形成装置１００のＳＩＰアドレスが「sips:hanako＠abc.co.jp」であれば、通信セッション情報にこのＳＩＰアドレスが設定される。ユーザーＩＤが「mfp123」であれば、ユーザー情報にこのユーザーＩＤが設定される。通信セッション情報とユーザー情報とは暗号化されてＩＮＶＩＴＥメッセージに格納される。（ステップＳ１０１）
【００３４】
次いで、ＳＩＰサーバー２００は、ＩＮＶＩＴＥメッセージを受信すると、ＩＮＶＩＴＥメッセージから通信セッション情報を取り出し復号する。そして、ＳＩＰサーバー２００は、通信セッション情報に設定されているＳＩＰアドレスの画像形成装置１００にＩＮＶＩＴＥメッセージを送信する。（ステップＳ１０２）
【００３５】
次いで、画像形成装置１００のネットワーク通信部１８０が、ステップＳ１０２で送信されたＩＮＶＩＴＥメッセージを受信すると、制御部１１０にリモート操作応答を通知する。制御部１１０は、リモート操作応答を入力すると、リモート操作応答処理部１１０ａを起動する。そして、リモート操作応答処理部１１０ａがリモート操作応答処理を開始する。（Ｐ３０）
【００３６】
次いで、ＳＩＰサーバー２００は、ＩＮＶＩＴＥメッセージを受信したことをリモート操作端末３００に通知する。このため、ＳＩＰサーバー２００は、ＩＮＶＩＴＥメッセージに対する応答メッセージであるTryingメッセージをリモート操作端末３００に送信する。（ステップＳ１０３）
【００３７】
次いで、画像形成装置１００のリモート操作応答処理部１１０ａは、ＩＮＶＩＴＥメッセージを受信したことをリモート操作端末３００に通知する。このため、リモート操作応答処理部１１０ａは、ＩＮＶＩＴＥメッセージに対する応答メッセージであるRingingメッセージをＳＩＰサーバー２００に送信する。（ステップＳ１０４）
【００３８】
次いで、ＳＩＰサーバー２００は、Ringingメッセージを受信すると、リモート操作端末３００にRingingメッセージを送信する。（ステップＳ１０５）
【００３９】
次いで、画像形成装置１００のリモート操作応答処理部１１０ａは、ＩＮＶＩＴＥメッセージからユーザー情報を取り出し復号し、ユーザー情報に設定されているユーザーＩＤの認証を行う。ユーザーＩＤの認証は、ユーザー情報に設定されているユーザーＩＤがユーザー情報保存エリア１２０ａに保存されているかで判定する。ユーザーＩＤの認証が正常に行われたときには、リモート操作応答処理部１１０ａは、画像形成装置１００におけるログインユーザー数の上限チェックなどを行うことで、リモート操作端末３００からの操作要求の受け付けが可能かを判定する。リモート操作応答処理部１１０ａは、リモート操作端末３００からの操作の受け付け可能であると判定したときには、ユーザーログインを受け付ける。ユーザーＩＤの認証が正常に行われなかったとき、または、リモート操作端末３００からの操作要求が受け付け不可と判定されたときには、図３には記載していないが、所定のエラーメッセージをＳＩＰサーバー２００に送信する。（Ｐ４０）
【００４０】
次いで、画像形成装置１００のリモート操作応答処理部１１０ａは、２００ ＯＫメッセージに通信セッションにおける画像形成装置１００が要求する条件を設定する。そして、リモート操作応答処理部１１０ａは、ＯＫメッセージをＳＩＰサーバーに送信する。（ステップＳ１０６）
【００４１】
次いで、ＳＩＰサーバー２００は、２００ ＯＫメッセージを受信すると、リモート操作端末３００に２００ ＯＫメッセージを送信する。（ステップＳ１０７）
【００４２】
次いで、リモート操作端末３００のリモート操作要求処理部３１０ａは、２００ ＯＫメッセージを受信すると、２００ ＯＫメッセージに設定されている画像形成装置１００が要求する通信セッションにおける条件を取り出す。リモート操作要求処理部３１０ａは、画像形成装置１００から提示された通信セッションにおける条件に基づいて通信条件を決定する。そして、リモート操作要求処理部３１０ａは、通信条件を設定したＡＣＫメッセージを画像形成装置１００に送信する。（ステップＳ１０８）
【００４３】
次いで、画像形成装置１００のリモート操作応答処理部１１０ａがリモート操作端末３００からＡＣＫメッセージを受信することで、リモート操作端末３００と画像形成装置１００との通信セッションが確立される。そして、ステップＳ１０８で決定された通信条件により、画像形成装置１００の操作画面情報保存エリア１２０ｂに保存されている操作画面情報がリモート操作端末３００に送信される。画像形成装置１００から送信された操作画面情報は、操作画面情報保存エリア３２０ａに一時的に保存される。この操作画面情報によりリモート操作端末３００の操作パネル３３０に操作画面が表示される。操作パネル３３０に操作画面が表示されると、ユーザーにより操作画面から操作が入力される。入力された操作の操作データは、ステップＳ１０８で決定された通信条件で画像形成装置１００に送信される。（Ｐ５０）
【００４４】
次いで、リモート操作端末３００からユーザーが画像形成装置１００の操作終了を入力すると、リモート操作要求処理部３１０ａは、ＢＹＥメッセージをＳＩＰサーバー２００に送信する。（Ｓ１０９）
【００４５】
次いで、ＳＩＰサーバー２００は、ＢＹＥメッセージを受信すると、ステップＳ１０２で通信セッション情報に設定されていたＳＩＰアドレスの画像形成装置１００にＢＹＥメッセージを送信する。（ステップＳ１１０）
【００４６】
次いで、画像形成装置１００のリモート操作応答処理部１１０ａは、ＢＹＥメッセージを受信したことをリモート操作端末３００に通知する。このため、リモート操作応答処理部１１０ａは、ＢＹＥメッセージに対する応答メッセージである２００ ＯＫメッセージをＳＩＰサーバー２００に送信する。（ステップＳ１１１）
【００４７】
次いで、画像形成装置１００のリモート操作応答処理部１１０ａがＢＹＥメッセージをＳＩＰサーバー２００に送信することで、画像形成装置１００がリモート操作端末３００からのユーザーログアウトを受け付ける。リモート操作応答処理部１１０ａがリモート操作応答処理を終了すると、通信セッションが解放される。（Ｐ６０）
【００４８】
次いで、ＳＩＰサーバー２００は、２００ ＯＫメッセージを受信すると、リモート操作端末３００に２００ ＯＫメッセージを送信する。（ステップＳ１１２）
【００４９】
次いで、リモート操作端末３００が２００ ＯＫメッセージを受信する。これにより、リモート操作端末３００のリモート操作応答処理部１１０ａは、リモート操作応答処理を終了する。（Ｐ７０）
【００５０】
以上のように、実施形態１の画像形成装置リモートシステム１０は、図３に示すメッセージを、ＳＩＰサーバー２００を経由してリモート操作端末３００と画像形成装置１００の間で送受信する。これにより、画像形成装置１００の操作画面がリモート操作端末３００の操作パネル３３０に表示される。また、ユーザーは、リモート操作端末３００の操作パネル３３０に表示された操作画面から画像処理装置１００の操作を行うことができる。このように、ＳＩＰを使用して画像形成装置１００とリモート操作端末３００が接続されている場合においても、画像形成装置１００の操作画面をリモート操作端末３００の操作パネル３３０に表示し、この操作画面から画像形成装置１００を操作することができる。
【００５１】
（第２の実施の形態）
以下、本開示を実施するための第２の実施形態（以下、「実施形態２」という）を、図面を参照して説明する。実施形態２は、実施形態１の画像形成装置１００において、リモート操作端末３００からユーザーが画像形成装置１００でジョブを実行させ、更にジョブ状態を確認できるようにするものである。
実施形態２の画像形成装置リモートシステム１０のシステム構成は、実施形態１の図１に示す画像形成装置リモートシステム１０のシステム構成と同じである。
また、実施形態２の画像形成装置リモートシステム１０の画像形成装置１００及びリモート操作端末３００の機能構成は、実施形態１の図２に示す画像形成装置リモートシステム１０の画像形成装置１００及びリモート操作端末３００の機能構成と同じである。これに加えて、本実施形態では、ジョブ状態送信応答処理部１１０ｂとジョブ状態送信要求処理部３１０ｂを用いる。
また、実施形態２の画像形成装置１００とリモート操作端末３００における通信セッション確立手順は、（Ｐ５０）の手順以外は、実施形態１の図３に示す画像形成装置１００とリモート操作端末３００における通信セッション確立手順に同じである。
以下、実施形態１と異なる箇所について説明する。
【００５２】
ジョブ状態送信応答処理部１１０ｂは、リモート操作端末３００からのジョブ状態送信要求に対する応答を行うジョブ状態送信応答処理を実行する。ジョブ状態送信応答処理の詳細については、後述する。
【００５３】
ジョブ状態送信要求処理部３１０ｂは、画像形成装置１００にジョブ状態送信要求を行うジョブ状態送信要求処理を実行する。ジョブ状態送信要求処理の詳細については、後述する。
【００５４】
図３に示す画像形成装置とリモート操作端末における通信セッション確立手順の（Ｐ５０）は、下記となる。
次いで、画像形成装置１００のリモート操作応答処理部１１０ａがリモート操作端末３００からＡＣＫメッセージを受信することで、リモート操作端末３００と画像形成装置１００との通信セッションが確立される。そして、ステップＳ１０８で決定された通信条件により、画像形成装置１００の操作画面情報保存エリア１２０ｂに保存されている操作画面情報がリモート操作端末３００に送信される。画像形成装置１００から送信された操作画面情報は、操作画面情報保存エリア３２０ａに一時的に保存される。この操作画面情報により、リモート操作端末３００の操作パネル３３０に操作画面が表示される。操作パネル３３０に操作画面が表示される。ユーザーにより操作画面から画像形成装置１００でジョブを実行する操作が行われると、ジョブを実行する操作の操作データがステップＳ１０８で決定された通信条件で画像形成装置１００に送信される。このとき、実行されたジョブを識別するためにジョブ毎に付けられる情報（以下、「ジョブＩＤ」という）が操作パネル３３０に表示される。（Ｐ５０）
【００５５】
次に、実施形態２における図３に示す通信セッション確立手順のＰ５０において、別のイベントとして、リモート操作端末３００の操作画面から画像形成装置１００で実行されているジョブの状態を確認する手順について、図４を用いて説明する。なお、ユーザーは、確認する前に、リモート操作端末３００の操作画面から画像形成装置１００でジョブを実行している。図４に示すジョブの状態を確認する手順においては、ＳＩＰサーバー２００の処理は省略して説明する。
【００５６】
まず、通信セッションが確立した状態（Ｐ５０）でユーザーがリモート操作端末３００の操作画面から画像形成装置１００に対するジョブ状態送信要求を入力すると、リモート操作端末３００の操作パネル処理部３４０は制御部３１０に出力する。制御部３１０は、ジョブ状態送信要求を入力すると、ジョブ状態送信要求処理部３１０ｂを起動する。すると、ジョブ状態送信要求処理部３１０ｂがジョブ状態送信要求処理を開始する。（Ｐ１１０）
【００５７】
次いで、リモート操作端末３００のジョブ状態送信要求処理部３１０ｂは、ユーザーが状態を確認するジョブのジョブＩＤを入力させるための誘導メッセージを操作パネル３３０に表示する。ユーザーは、リモート操作端末３００の操作パネル３３０に表示されたジョブＩＤを操作パネル３３０から入力する。（Ｐ１２０）
【００５８】
次いで、リモート操作端末３００のジョブ状態送信要求処理部３１０ｂは、画像形成装置１００で実行しているジョブに対する状態通知を要求するＳＵＢＳＣＲＩＢＥメッセージを画像形成装置１００に送信する。ＳＵＢＳＣＲＩＢＥメッセージのイベントヘッダーにはイベント情報（以下、「presence情報」という）、及びリモート操作端末３００のユーザー情報が暗号化されて格納されている。例えば、画像形成装置１００で実行されているジョブＩＤが「12345」のジョブのジョブ状態を確認したいのであれば、ＳＵＢＳＣＲＩＢＥメッセージのpresence情報に「Event：presence;id＝12345」が設定される。また、ユーザーＩＤが「mfp123」であれば、ユーザー情報にこのユーザーＩＤが設定され、ＳＵＢＳＣＲＩＢＥメッセージに格納される。（ステップＳ２０１）
【００５９】
次いで、画像形成装置１００のネットワーク通信部１８０が、ステップＳ２０１で送信されたＳＵＢＳＣＲＩＢＥメッセージを受信すると、制御部１１０にジョブ状態送信応答を通知する。制御部１１０は、ジョブ状態送信応答を入力すると、ジョブ状態送信応答処理部１１０ｂを起動する。そして、ジョブ状態送信応答処理部１１０ｂが、ジョブ状態送信応答処理を開始する。（Ｐ１３０）
【００６０】
次いで、画像形成装置１００のジョブ状態送信応答処理部１１０ｂは、ＳＵＢＳＣＲＩＢＥメッセージからユーザー情報を取り出し復号し、ユーザー情報に設定されているユーザーＩＤの認証を行う。ユーザーＩＤの認証は、ユーザー情報に設定されているユーザーＩＤがユーザー情報保存エリア１２０ａに保存されているかで判定する。ジョブ状態送信応答処理部１１０ｂは、ユーザーＩＤの認証が正常に行われたときには、ＳＵＢＳＣＲＩＢＥメッセージの要求を受け入れたことをリモート操作端末３００に通知する。このため、ジョブ状態送信応答処理部１１０ｂは、ＳＵＢＳＣＲＩＢＥメッセージに対する応答メッセージである２００ ＯＫメッセージをリモート操作端末３００に送信する（ステップＳ２０２）。
【００６１】
次いで、画像形成装置１００のジョブ状態送信応答処理部１１０ｂは、ジョブＩＤに対応するジョブのジョブ状態を取り出すと、ジョブ状態を格納したＮＯＴＩＦＹメッセージをリモート操作端末３００に送信する。例えば、ステップＳ２０１のＳＵＢＳＣＲＩＢＥメッセージのpresence情報に「Event：presence;id＝12345」が設定され、ジョブＩＤが「12345」のジョブ状態が「active（実行中）」であれば、ＮＯＴＩＦＹメッセージのイベントヘッダーのpresence情報に「Event：presence;id＝12345」と「Subscription-State：active」が設定され、ＮＯＴＩＦＹメッセージに格納される。（ステップＳ２０３）
【００６２】
次いで、リモート操作端末３００のジョブ状態送信要求処理部３１０ｂは、ＮＯＴＩＦＹメッセージを受信したことを画像形成装置１００に通知するため、ＮＯＴＩＦＹメッセージに対する応答メッセージである２００ ＯＫメッセージを画像形成装置１００に送信する。（ステップＳ２０４）
【００６３】
次いで、画像形成装置１００のジョブ状態送信応答処理部１１０ｂが、ステップＳ２０４で送信された２００ ＯＫメッセージを受信すると、制御部１１０にジョブＩＤ及びジョブ完了待ちを出力する。制御部１１０は、ジョブＩＤ及びジョブ完了待ちを入力し、ジョブＩＤに対応するジョブの完了を検出すると、ジョブ完了通知をジョブ状態送信応答処理部１１０ｂに出力する。ジョブ状態送信応答処理部１１０ｂはジョブ完了通知を入力する（Ｐ１４０）。
【００６４】
次いで、画像形成装置１００のジョブ状態送信応答処理部１１０ｂは、ジョブ完了をリモート操作端末３００に通知するため、ジョブ完了通知を格納したＮＯＴＩＦＹメッセージをリモート操作端末３００に送信する。例えば、ステップＳ２０１のＳＵＢＳＣＲＩＢＥメッセージのpresence情報に「Event：presence;id＝12345」が設定され、ジョブＩＤが「12345」のジョブが「noresource（監視リソースが存在しない）」であれば、ＮＯＴＩＦＹメッセージのイベントヘッダーのpresence情報に「Event：presence;id＝12345」と「Subscription-State：noresource」が設定されて、ＮＯＴＩＦＹメッセージに格納される。（ステップＳ２０５）
【００６５】
次いで、リモート操作端末３００のジョブ状態送信要求処理部３１０ｂは、ＮＯＴＩＦＹメッセージを受信したことを画像形成装置１００に通知するため、ＮＯＴＩＦＹメッセージに対する応答メッセージである２００ ＯＫメッセージを画像形成装置１００に送信する。（ステップＳ２０６）
【００６６】
次いで、リモート操作端末３００のジョブ状態送信要求処理部３１０ｂが２００ ＯＫメッセージを送信する。すると、リモート操作端末３００のジョブ状態送信要求処理部３１０ｂは、ジョブＩＤに対応するジョブのジョブ状態を操作パネルに表示し、ジョブ状態送信要求処理を終了する。（Ｐ１５０）
【００６７】
次いで、画像形成装置１００のジョブ状態送信応答処理部１１０ｂが２００ ＯＫメッセージを受信する。すると、ジョブ状態送信応答処理部１１０ｂは、ジョブ状態送信応答処理を終了する。（Ｐ１６０）
【００６８】
以上により、実施形態２の画像形成装置リモートシステム１０は、ユーザーによりリモート操作端末３００の操作パネル３３０に表示された操作画面から画像形成装置１００でジョブを実行させ、ジョブの状態を確認することができる。また、ジョブが完了するとジョブ完了通知をリモート操作端末３００に通知することができる。このように、ユーザーがリモート操作端末３００から画像形成装置１００でジョブを実行させ、ジョブの完了を待たずにジョブの実行を要求したアプリケーションを終了させたとき、またはジョブが実行途中でエラーとなったときに、ユーザーはジョブの状態を確認することができる。従って、ユーザーが画像形成装置１００から離れた場所にいても、リモート操作端末３００から画像形成装置１００に対してリモート操作要求を送信して応答がないときには、画像形成装置１００の状態を確認することができる。
【００６９】
（第３の実施の形態）
以下、本開示を実施するための第３の実施形態（以下、「実施形態３」という）を、図面を参照して説明する。実施形態３は、実施形態１の画像形成装置１００において、リモート操作端末３００からユーザーが画像形成装置１００のドキュメントボックスに保存されている画像データを宛先アドレスに送信するものである。
実施形態３の画像形成装置リモートシステム１０のシステム構成は、実施形態１の図１に示す画像形成装置リモートシステム１０のシステム構成と同じである。
また、実施形態３の画像形成装置リモートシステム１０の画像形成装置１００とリモート操作端末３００の機能構成は、実施形態１の図２に示す画像形成装置リモートシステム１０の画像形成装置１００とリモート操作端末３００の機能構成に同じである。これに加えて、本実施形態では、ドキュメント送信処理部１１０ｃ、ドキュメントボックスエリア１３０ｂ、宛先アドレス情報保存エリア１３０ｃ、ドキュメント送信要求処理部３１０ｃ、ドキュメント情報保存エリア３２０ｂ、宛先アドレス情報保存エリア３２０ｃ、及びＧＰＳ処理部３６０を用いる。
また、実施形態３の画像形成装置１００とリモート操作端末３００における通信セッション確立手順は、実施形態１の図３に示す画像形成装置１００とリモート操作端末３００における通信セッション確立手順と同じである。
以下、実施形態１と異なる箇所について説明する。
【００７０】
ドキュメント送信処理部１１０ｃは、操作画面を表示するためのデータや操作画面の操作を行うためのデータなどの情報（以下、「操作画面情報」という）をリモート操作端末３００に送信する。また、ドキュメント送信処理部１１０ｃは、ドキュメント送信処理を実行する。ドキュメント送信処理では、リモート操作端末３００からのドキュメント送信要求に対して、ドキュメント情報及び宛先アドレス情報を送信する。このドキュメント送信処理の詳細については、後述する。
ドキュメントボックスエリア１３０ｂには、ユーザー毎の複数のドキュメントボックスが設けられている。各々のドキュメントボックスには、原稿読取部１６０から読み取った画像データ、ネットワーク通信部１８０を経由してリモート操作端末３００から受信した画像データが保存されている。また、各々のドキュメントボックスには、保存されている画像データの名称（以下、「ドキュメント名称」という）、サイズ、作成日付などのドキュメント情報が保存されている。
宛先アドレス情報保存エリア１３０ｃには、予めユーザーがアドレス帳に登録した宛先アドレス、宛先アドレスに付けられている宛先名称、宛先アドレスの登録日などの宛先アドレス情報が保存されている。
【００７１】
ドキュメント送信要求処理部３１０ｃは、ドキュメント送信要求処理を実行する。ドキュメント送信要求処理では、画像形成装置１００にドキュメント送信要求する。ドキュメント送信要求処理の詳細については、後述する。
ドキュメント情報保存エリア３２０ｂには、画像形成装置１００から受信するドキュメント情報を表示するために、ドキュメント情報が一時的に保存される。
宛先アドレス情報保存エリア３２０ｃには、画像形成装置１００から受信する宛先アドレス情報を表示するために、アドレス情報が一時的に保存される。
ＧＰＳ処理部３６０は、ＧＰＳ（Global Positioning System）により、リモート操作端末３００の現在位置を取得する。
【００７２】
次に、図３に示す通信セッション確立手順のＰ５０における画像形成装置１００のドキュメントボックスエリア１３０ｂに保存されている画像データの送信手順について、図５を用いて説明する。
【００７３】
まず、画像形成装置１００のドキュメント送信処理部１１０ｃは、操作画面情報保存エリア１２０ｂに保存されている操作画面情報を取り出す。そして、ドキュメント送信処理部１１０ｃは、操作画面情報を設定した操作画面情報メッセージをリモート操作端末３００に送信する。（ステップＳ２０１）
【００７４】
次いで、リモート操作端末３００のネットワーク通信部３５０が操作画面情報メッセージを受信すると、制御部３１０にドキュメント送信要求を通知する。制御部３１０は、ドキュメント送信要求を入力すると、ドキュメント送信要求処理部３１０ｃを起動する。ドキュメント送信要求処理部３１０ｃは、ドキュメント送信要求処理を開始する。ドキュメント送信要求処理部３１０ｃは、受信した操作画面情報メッセージに設定されている操作画面情報を取り出すと、操作画面情報保存エリア３２０ａに一時的に保存する。（ステップＳ２０２）
【００７５】
次いで、リモート操作端末３００のドキュメント送信要求処理部３１０ｃは、操作画面情報保存エリア３２０ａから取り出した操作画面情報により、操作画面を操作パネル３３０に表示する。（ステップＳ２０３）
【００７６】
次いで、ユーザーがリモート操作端末３００の操作パネル３３０に表示された操作画面からドキュメントボックスのドキュメント一覧を表示させるよう操作する。すると、ドキュメント送信要求処理部３１０ｃは、ドキュメント情報要求を設定したドキュメント情報要求メッセージを画像形成装置１００に送信する。（ステップＳ２０４）
【００７７】
次いで、画像形成装置１００のドキュメント送信処理部１１０ｃは、ドキュメント情報要求メッセージを受信する。（ステップＳ２０５）
【００７８】
次いで、画像形成装置１００のドキュメント送信処理部１１０ｃは、ドキュメントボックスエリア１３０ａからリモート操作端末３００のユーザーＩＤに対応するドキュメントボックスを取り出す。また、ドキュメント送信処理部１１０ｃは、ドキュメントボックスに保存されているドキュメント情報を取り出す。そして、ドキュメント送信処理部１１０ｃは、ドキュメント情報を設定したドキュメント情報メッセージをリモート操作端末３００に送信する。（ステップＳ２０６）
【００７９】
次いで、リモート操作端末３００のドキュメント送信要求処理部３１０ｃは、ドキュメント情報メッセージを受信する。（ステップＳ２０７）
【００８０】
次いで、リモート操作端末３００のドキュメント送信要求処理部３１０ｃは、ドキュメント情報メッセージからドキュメント情報を取り出し、ドキュメント情報保存エリア３２０ｂに保存する。ドキュメント送信要求処理部３１０ｃは、このドキュメント情報を操作パネル３３０の操作画面に表示する。（ステップＳ２０８）
【００８１】
次いで、ユーザーがリモート操作端末３００の操作パネル３３０に表示された操作画面から画像形成装置１００の宛先アドレス情報を表示させる操作を行う。ドキュメント送信要求処理部３１０ｃは、宛先アドレス情報要求メッセージを画像形成装置１００に送信する。（ステップＳ２０９）
【００８２】
次いで、画像形成装置１００のドキュメント送信処理部１１０ｃは、宛先アドレス情報要求デメッセージを受信する。（ステップＳ２１０）
【００８３】
次いで、画像形成装置１００のドキュメント送信処理部１１０ｃは、宛先アドレス情報保存エリア１３０ｃから宛先アドレス情報を取り出す。ドキュメント送信処理部１１０ｃは、宛先アドレス情報を設定した宛先アドレス情報メッセージをリモート操作端末３００に送信する。（ステップＳ２１１）
【００８４】
次いで、リモート操作端末３００のドキュメント送信要求処理部３１０ｃは、宛先アドレス情報メッセージを受信する。（ステップＳ２１２）
【００８５】
次いで、リモート操作端末３００のドキュメント送信要求処理部３１０ｃは、宛先アドレス情報メッセージから宛先アドレス情報を取り出して、宛先アドレス情報保存エリア３２０ｃに保存する。ドキュメント送信要求処理部３１０ｃは、この宛先アドレス情報を操作パネル３３０の操作画面に表示する。（ステップＳ２１３）
【００８６】
次いで、ユーザーがリモート操作端末３００の操作パネル３３０に表示されたドキュメントボックス情報からドキュメント名称を選択し、また宛先アドレス情報から宛先名称を選択する。すると、ドキュメント送信要求処理部３１０ｃは、ドキュメント名称及び宛先名称を設定した送信要求メッセージを画像形成装置１００に送信する。ドキュメント送信要求処理部３１０ｃが送信要求メッセージの送信を完了すると、ドキュメント送信要求処理を終了する。制御部３１０は、ドキュメント送信要求処理部３１０ｃのドキュメント送信要求処理が終了したことを検出すると、リモート操作要求処理部３１０aを再開させる。（ステップＳ２１４）
【００８７】
次いで、画像形成装置１００のドキュメント送信処理部１１０ｃは、送信要求メッセージを受信すると、送信要求メッセージに設定されているドキュメント名称及び宛先名称を取り出す。ドキュメント送信処理部１１０ｃは、ドキュメントボックスエリア１３０ａのユーザーＩＤに対応するドキュメントボックスからドキュメント名称に対応する画像データを取り出す。また、ドキュメント送信処理部１１０ｃは、宛先アドレス情報保存エリア１３０ｃから宛先名称に対応する宛先アドレスを取り出す。ドキュメント送信処理部１１０ｃは、画像データを宛先アドレスに送信し、ドキュメント送信処理を終了する。制御部１１０は、ドキュメント送信処理部１１０ｃのドキュメント送信処理が終了したことを検出すると、リモート操作応答処理部１１０aを再開させる。（ステップＳ２１５）
【００８８】
以上により、実施形態３の画像形成装置リモートシステム１０は、ユーザーによりリモート操作端末３００の操作パネル３３０に表示された操作画面からドキュメント情報及び宛先アドレス情報が要求される。そして、リモート操作端末３００は、ドキュメント情報から選択されたドキュメント名称と、宛先アドレス情報から選択された宛先名称を画像形成装置に送信する。これにより、ドキュメントボックスのドキュメント名称に対応する画像データを、宛先名称に対応する宛先アドレスに画像形成装置１００から送信することができる。このように、ＳＩＰを使用して画像形成装置１００とリモート操作端末３００が接続されている場合においても、リモート操作端末３００の操作パネル３３０に表示された操作画面から、ユーザーは画像形成装置１００のドキュメントボックスに保存されている画像データを画像形成装置１００のアドレス帳に登録されている宛先アドレスを使用して送信することができる。
【００８９】
なお、実施形態１、実施形態２、及び実施形態３の画像形成システム１０においては、ネットワーク５００に接続されている画像形成装置１００と、ネットワーク５００に接続されているアクセスポイント４００と無線通信するリモート操作端末３００またはネットワーク５００に直接接続されているリモート操作端末３００とのＳＩＰを使用した例で説明した。しかし、これに限定されず、インターネット７００に接続されているリモート操作端末８００についても、ＳＩＰを搭載することで、同様の処理を行うことができる。つまり、リモート操作端末８００をインターネット７００及びルーター６００を経由してネットワーク５００に接続し、画像形成装置１００とＳＩＰの通信セッションを確立することもできる。これにより、画像形成装置１００の操作画面の表示及び操作画面から操作を入力することも可能である。
【００９０】
また、実施形態２においては、画像形成装置１００でジョブの状態を確認する手順について説明したが、これに限定されない。例えば、画像形成装置１００において故障が発生しているかの故障状態、画像形成装置１００のメイン電源またはサブ電源の電源状態、または画像形成装置１００のＣＰＵの負荷状態など、画像形成装置１００が検出可能な画像形成装置１００のあらゆる状態を確認することができる。
【００９１】
また、実施形態３においては、画像形成装置１００が保存している宛先アドレス情報をリモート操作端末３００の操作パネル３３０に表示し、ユーザーが宛先アドレス情報から宛先名称を選択する例について説明したが、これに限定されない。例えば、ユーザーが操作画面から宛先アドレスを入力することも可能である。この場合は、誤入力や不正入力に対する防止機能を設けるとよい。
ユーザーが宛先アドレスを入力すると、画像形成装置１００に保存されている画像データが不適切な宛先アドレスに送信されることがある。また、宛先アドレスの入力を禁止すると、ユーザーが画像形成装置１００のアドレス帳に宛先アドレスを登録するまで、ユーザーはアドレス帳に登録されていない宛先アドレスに画像データを送信することができない。このようなときには、画像形成装置１００がリモート操作端末３００の現在位置を判別し、リモート操作端末３００が予め決められた範囲以内（オフィスや工場の敷地内）にあるときに、入力された宛先アドレスに対して送信を許可するようにすればよい。なお、リモート操作端末３００の現在位置は、ＧＰＳ処理部３３０により取得できる。そして／または、宛先アドレスが入力されたときに、画像形成装置１００の誤送信防止機能が自動的に有効となるようにすればよい。この上で、この誤送信防止機能が、入力された宛先アドレスが適切であると判定したときに、入力された宛先アドレスに対して送信を許可するようにすればよい。
【００９２】
更に、実施形態３においては、ユーザーが操作画面から宛先アドレスを直接入力する以外にも、リモート操作端末３００が設けているアドレス帳の宛先アドレス情報を操作画面に表示することも可能である。または、宛先アドレス情報が保存されているディレクトリーデータベースをＬＤＡＰ（Lightweight Directory Access Protocol）でアクセスすることで、ディレクトリーデータベースの宛先アドレス情報を操作画面に表示することも可能である。操作画面に表示された宛先アドレス情報からユーザーが宛先名称を選択することで宛先アドレスが決定される。また、このように決定された宛先アドレスにおいても、リモート操作端末３００が予め決められた範囲以内に位置するとき、または（かつ）誤送信防止機能により宛先アドレスが適切であると判定したときに、宛先アドレスに対して送信を許可することができる。
【００９３】
このような本開示の画像形成装置、画像形成装置リモートシステム、及び画像形成装置の操作画面リモート表示方法は、ＳＩＰで接続されている画像形成装置において、ユーザーはリモート操作端末から画像形成装置を操作することができる。また、ユーザーはこの操作画面から画像形成装置にジョブを実行させ、画像形成装置で実行しているジョブの状態や画像形成装置の状態を確認することができる。また、ユーザーは、この操作画面から画像形成装置に保存されている画像データを画像形成装置のアドレス帳に登録されている宛先アドレスに送信することができる。
【００９４】
以上、具体的な実施の形態により本開示を説明したが、上記実施の形態は本開示の例示であり、この実施の形態に限定されないことは言うまでもない。
【産業上の利用可能性】
【００９５】
本開示は、画像形成装置、画像形成システム、及び画像形成装置の操作画面リモート表示方法に好適であるが、画像形成装置、画像形成システム、及び画像形成装置の操作画面リモート表示方法に限られるものではなく、ＳＩＰの搭載が可能な装置、装置を備えたシステム、及び装置を用いた方法に適用できる。
【符号の説明】
【００９６】
１０・・・・・画像形成装置リモートシステム
１００・・・・・画像形成装置
１１０・・・・・制御部
１１０ａ・・・・リモート操作応答処理部
１１０ｂ・・・・ジョブ状態送信応答処理部
１１０ｃ・・・・ドキュメント送信処理部
１２０・・・・・メモリー部
１２０ａ・・・・ユーザー情報保存エリア
１２０ｂ・・・・操作画面情報保存エリア
１３０・・・・・データ保存部
１３０ａ・・・・画像データ保存エリア
１３０ｂ・・・・ドキュメントボックスエリア
１３０ｃ・・・・宛先アドレス情報保存エリア
１４０・・・・・操作パネル
１５０・・・・・操作パネル処理部
１６０・・・・・原稿読取部
１７０・・・・・画像処理部
１８０・・・・・ネットワーク通信部
２００・・・・・ＳＩＰサーバー
３００・・・・・リモート操作端末
３１０・・・・・制御部
３１０ａ・・・・リモート操作要求処理部
３１０ｂ・・・・ジョブ状態送信要求処理部
３１０ｃ・・・・ドキュメント送信要求処理部
３２０・・・・・メモリー部
３２０ａ・・・・操作画面情報保存エリア
３２０ｂ・・・・ドキュメント情報保存エリア
３２０ｃ・・・・宛先アドレス情報保存エリア
３３０・・・・・操作パネル
３４０・・・・・操作パネル処理部
３５０・・・・・ネットワーク通信部
３６０・・・・・ＧＰＳ処理部
４００・・・・・アクセスポイント
５００・・・・・ネットワーク
６００・・・・・ルーター
７００・・・・・インターネット
８００・・・・・リモート操作端末
【図１】
2015015994.tif 000003
【図２】
2015015994.tif 000004
【図３】
2015015994.tif 000005
【図４】
2015015994.tif 000006
【図５】
2015015994.tif 000007
【国際調査報告】
2015015994.tif 000008
2015015994.tif 000009
2015015994.tif 000010
2015015994.tif 000011